(57)【要約】【課題】  納骨室の気温の変化による骨壷内の結露を防止することにより、内部に水が溜まることを防止できる骨壷を提供することを課題とするものである。【解決手段】  骨壷の内表面層が断熱材よりなることを特徴とする骨壷であり、その蓋部に気密手段が設けられており、また、該断熱材は、吸湿性を有し、骨壷の底部に断熱材からなる脚部が設けられいることを特徴とする骨壷であり、また、断熱材からなることを特徴とする骨壷台である。【選択図】  図２
2010136963.tif 000002
【特許請求の範囲】
【請求項１】
内表面層が断熱材よりなることを特徴とする骨壷。
【請求項２】
蓋部に気密手段が設けられていることを特徴とする請求項１に記載の骨壷。
【請求項３】
前記の断熱材は、吸湿性を有することを特徴とする請求項１又は請求項２に記載の骨壷。
【請求項４】
底部に断熱材からなる脚部が設けられていることを特徴とする請求項１から請求項３までのいずれかの項に記載の骨壷。
【請求項５】
断熱材からなることを特徴とする前記の骨壷を載置するための骨壷台。
【発明の詳細な説明】
【技術分野】
【０００１】
本発明は、骨壷及びその骨壷を載置するための骨壷台に関するものである。
【背景技術】
【０００２】
従来より骨壷は、蓋付きの磁器製円筒容器が広く用いられている。
【０００３】
この骨壷は、お寺の納骨堂などに保管される場合や、墓内に直接、収容される場合もある。
【０００４】
沖縄地方では、古来より、亀甲墓や破風墓などが広く普及している。
【０００５】
これらの墓は、その内部の地上部に納骨室が設けられていることが特徴であり、古くは、琉球石灰岩やサンゴ石灰岩等を用いて築造されているものが多かったが、近年では御影石による組立造りやコンクリート造りの墓も多くなっている。
【０００６】
また、従来の大規模なものから小形化されてきており、かなり広い敷地を有する亀甲墓は少なく、家形状で小規模な破風墓や洋風な家形の洋風墓なども増えている。
【０００７】
これらの家形の破風墓などは、板状の石材で切妻式に屋根が構成されており、正面前方には、突き出たひさしが設けられている。また、両サイドに柱が設けられ、正面の納骨室入口に、香炉や花瓶などが置かれている。
【０００８】
その内部には、広い納骨室が設けられ、骨壷を載置する祭壇が設けられ、壁面はブロック状の石材を積み重ねて構成され、正面側の左右に台座が設けられ、その上部にひさしを支えるように柱が設けられている。
【０００９】
このように、沖縄地方の家形の破風墓は、日本各地で一般的に建造される墓標式の墓と異なり、納骨堂は地下に設けられるのではなく、地上部に家型に設けられ、ひさしと袖台座が設けられた豪華で荘厳な墓であり、古くは、琉球王家しか造ることが許されなかったものが廃藩置県で解禁され、庶民に広く普及したと言われている。
【００１０】
これらの墓は、戦後の火葬やコンクリートの普及により急速にひろまったものであり、現在では、工期が短く安価に建造できるコンクリート造りや、豪華で美しい墓となる御影石による組立造りなどが普及しているものである。
【００１１】
そして、骨壷は、納骨室内に設けられた、階段状の祭壇上に並べて載置されるものである。
【００１２】
実用新案登録第３１３１３３４号公報では、骨壷の載置台に、水抜き穴が開口されることにより、気温の変化により骨壷の表面に生じる結露や骨壷内から排出される水を載置台によって受け止めて、水抜き穴より排出させることが可能となる骨壷台が開示されている。
【００１３】
また、特開２００７−２７５４８８号公報では、骨壷の底部に開口を形成し、吸水性を有する石板を設けたものであり、結露して底に溜まった水分を外部に排出することができるようにしたものである。
【００１４】
また、特開２００４−２６７７７５公報では、骨壷の蓋に通気性を持たせ、壷の内外の空気が循環されるようにしたものである。
【特許文献１】実用新案登録第３１３１３３４号公報
【特許文献２】特開２００７−２７５４８８号公報
【特許文献３】特開２００４−２６７７７５公報
【発明の開示】
【発明が解決しようとする課題】
【００１５】
骨壷は、風習により、古くから磁器が用いられている。その材質が硬い磁器製の壷が用いられるため、熱伝導率が高いので、外気の気温の変化により、結露が発生する。
【００１６】
この結露により、骨壷の内部に水が溜まり、納めた遺骨が水浸しになるという問題がしばしば見られ、湿度の高い地域では、骨壷いっぱいになってしまう場合もある。
【００１７】
本発明はこのような問題を解決するためになされたものであり、骨壷内の結露を防止することにより、内部に水が溜まることを防止できる骨壷を提供することを課題とするものである。
【課題を解決するための手段】
【００１８】
前記の問題を解決するために、本発明の請求項１では、内表面層が断熱材よりなることを特徴とする骨壷とするものである。
骨壷の内表面に断熱材層を形成するものであり、該断熱層に使用する断熱材は、熱伝導率が小さいものであればいずれでも良く、断熱材を層状に貼り付けたものでもよく、塗装や塗布したものなどでも良い。
例えば、市販されている断熱材である、発砲スチロールやグラスウールなどでも良く、断熱性塗料や漆喰などでも良い。
【００１９】
また、本発明の請求項２では、蓋部に気密手段が設けられていることを特徴とする骨壷とするものである。
【００２０】
該気密手段は、蓋部を気密に密封できる手段であればいずれでも良く、蓋の嵌め合わせ部にパッキンを設けたものでも良く、シールテープを巻いたものでも良い。湿気が骨壷の内部に侵入しないようにできればよい。これにより、骨壷内部で結露が発生しても、骨壷内部の空気中の湿気のみが結露するため、内面が湿る程度である。
【００２１】
骨壷内部に水が溜まる要因は、外部から湿気が入り込み、繰り返される結露により、底部に水が溜まってしまうためである。
【００２２】
また、本発明の請求項３では、前記の断熱材は、吸湿性を有することを特徴とする骨壷である。
【００２３】
吸水性を有する断熱材であればいずれでも良く、骨壷内部の結露による水分を吸収できるものであればいずれでも良い。
【００２４】
例えば、漆喰や炭などでも良い。吸湿性により、少量の結露は吸水でき、骨壷内の空気中の湿気であれば十分に吸水可能である。
【００２５】
また、本発明の請求項４では、底部に断熱材からなる脚部が設けられていることを特徴とする骨壷である。
【００２６】
該脚部は、骨壷の底部に設けられ、骨壷を床より上げて保持できる脚部であればいずれでも良く、例えば、樹脂製の円柱状突起部材を４箇所取り付けたものなどでも良い。脚部は着脱自在に設けても良い。
【００２７】
骨壷は、通常、コンクリート製の祭壇上に直接、載置されるため、コンクリートからの熱伝導を遮断することで結露を極力抑えることができる。
【００２８】
また、本発明の請求項５では、断熱材からなることを特徴とする前記の骨壷を載置するための骨壷台である。
【００２９】
該台は、断熱材によるものであればいずれでも良く、瓦や陶器、あるいは樹脂製のものなどでも良い。骨壷を床より上げて、床からの熱伝導を遮断できるものであれば良い。
【発明の効果】
【００３０】
本発明の骨壷及び骨壷台は、以下のような効果を奏する。
【００３１】
１）骨壷内部の結露を防止できる。
【００３２】
２）骨壷内部に水が溜まることを防止できる。
【００３３】
３）蓋の気密手段により、骨壷内部に湿気が侵入することを防止できる。
【００３４】
４）骨壷内部の湿気を吸収することができる。
【００３５】
５）断熱性脚部により、床からの熱伝導を遮断でき、結露を防止できる。
【００３６】
６）断熱性台により、床からの熱伝導を遮断できる。
【００３７】
７）従来の骨壷を処理して使用することができる。
【００３８】
８）従来の骨壷のイメージを大きく変化させることなく、容易に、かつ、確実に結露を防止することができる。
【発明を実施するための最良の形態】
【００３９】
次に本発明を実施するための最良の形態について図面を参照して説明する。
【００４０】
図１は本発明による骨壷の一例を示す外観図である。
【００４１】
本実施に示す骨壷は、従来より広く使用されている白色の磁器製の壷を使用し、本発明による処理を施したものである。
【００４２】
図１に示すように、骨壷容器１と、その蓋２により構成されており、外観上は、従来の骨壷と変わらない。
【００４３】
図２は本発明による骨壷の中央縦断面を示す図である。
【００４４】
骨壷容器１の上部に蓋２が嵌め合わせにより取り付けられている。嵌め合わせ部には、シリコンゴムによるパッキン４が設けられている。
【００４５】
骨壷容器１の内表面は、漆喰による断熱層３ｂが設けられ、蓋部２の内表面も、漆喰による断熱層３ａが設けられている。
【００４６】
該漆喰断熱層は、２層塗りされており、１層目は、炭が３〜５％混合された漆喰による断熱層であり、２層目は漆喰のみによる断熱層である。漆喰に炭を混合することにより断熱効果を高めたものである。炭を混合すると漆喰が黒くなるため、外観上好ましくないので、２層目は漆喰のみの白色の層としたものである。漆喰層の厚さは、１層当たり約１ｍｍ程度とした。
【００４７】
また、骨壷容器１の底部には、４箇所に樹脂製の脚部５が設けられている。
【００４８】
このような構成による内面断熱層を有する骨壷は、骨壷の内部と外部の熱伝導が遮断されるため、骨壷内部の温度差が少なくなり、結露の発生を極力防止することができる。また、シリコンゴムパッキン４により、外部からの湿気が侵入することがなくなる。また、内部の空気中の湿気は吸湿性断熱材が吸着する。
【００４９】
これらの作用により、骨壷内に水が溜まることを防止することができるものである。
【００５０】
図３は、本発明による骨壷の蓋部の気密手段の実施例を示す概略図である。
【００５１】
（１）は、骨壷容器１と蓋部２とをＯリング１０でシールするものである。Ｏリング１０は、シリコンゴムなどの弾性樹脂材などが使用できる。
【００５２】
（２）は、骨壷容器１と、蓋部２の接合部が階段状に嵌め合わせる構造であり、その外周部にシールテープ１１を張り付けたものである。
【００５３】
（３）は、骨壷容器１と蓋部２との接合部の内側にパッキン１２を設けたものである。該パッキンは。弾性樹脂材やゴム材などが使用できる。
【００５４】
図４は、本発明による骨壷の蓋部の気密手段の他の実施例を示す概略図である。
【００５５】
（４）は、骨壷容器１の上端部に段差を形成し、蓋部２との接合部の外側にパッキン１３を設けたものである。該パッキンは。弾性樹脂材やゴム材などが使用できる。
【００５６】
（５）は、骨壷容器１の上端部に段差を形成し、蓋部との接合部の中央部にパッキン１４を設けたものである。該パッキンは。弾性樹脂材やゴム材などが使用できる。
【００５７】
図５は、本発明による骨壷及び骨壷台の実施例を示す該略図である。
【００５８】
内表面に漆喰による断熱層が設けられた白色磁器製骨壷容器１と、内面側に漆喰による断熱層が設けられた白色磁器製蓋部２とで構成され、骨壷容器１と蓋部２との接合部にシリコンゴム製パッキン４が設けられている。
【００５９】
該骨壷容器１は、骨壷台２０に載置されている。該骨壷台２０は、瓦製であり、図６、図７に示すように、底部は通気性を有するように、空洞状になっている。また、中央部には、水抜き用の孔が設けられている。
【００６０】
図８は、本発明による骨壷と骨壷台の実施例を示す外観図である。外観上は、通常の白色磁器製の骨壷容器１と蓋２からなる骨壷であり、骨壷台２０は瓦製である。
【００６１】
本発明の骨壷は、内部に処理が施されているので、外部のデザインに影響することはないので、市販されている骨壷を使用することができる。
【００６２】
〔実験例〕沖縄県の梅雨時期における、結露試験を行った結果を下記に示す。
【００６３】
試験日  平成２０年６月１０日〜２０日
条件  墓中の気温：２４℃〜２７℃、墓中の湿度９０％
飽和水蒸気量：２１〜２６ｇ／ｍ3
比較例として、市販の白色磁器製骨壷（内部断熱層なし、パッキンなし）を使用して同条件で試験をした。
【００６４】
試験結果
本発明骨壷      内部は結露無し。内表面は乾燥状態であった。
比較例骨壷      内部に結露を確認。内表面が濡れていた。底部に水が溜まっていた。
【００６５】
このように、本発明によれば、骨壷内部の結露を防止でき、内部に水が溜まることのない、信頼性の高いこと骨壷を提供できるものである。
【図面の簡単な説明】
【００６６】
【図１】本発明による骨壷の実施例を示す外観図である。
【図２】本発明による骨壷の中央縦断面を示す概略図である。
【図３】本発明による骨壷の蓋部の気密手段の実施例を示す概略図である。
【図４】本発明による骨壷の蓋部の気密手段の他の実施例を示す概略図である。
【図５】本発明による骨壷と骨壷台の実施例を示す該略図である。
【図６】本発明による骨壷台の実施例を示す外観図である。
【図７】本発明による骨壷台の実施例を示す裏面外観図である。
【図８】本発明による骨壷と骨壷台の実施例を示す外観図である。
【符号の説明】
【００６７】
１  骨壷容器
２  蓋部
３ａ、３ｂ  漆喰断熱層
４  シリコンゴムパッキン
５  脚部
１０  Ｏリング
１１  シールテープ
１２、１３、１４パッキン
２０  骨壷台
２１  水抜き孔
【図１】
2010136963.tif 000003
【図２】
2010136963.tif 000004
【図３】
2010136963.tif 000005
【図４】
2010136963.tif 000006
【図５】
2010136963.tif 000007
【図６】
2010136963.tif 000008
【図７】
2010136963.tif 000009
【図８】
2010136963.tif 000010